(57)【特許請求の範囲】
【請求項１】
フィルム状のパウチ片の対向する縁部をシールして形成したサイドシール部を有してパウチ片の間に空所を形成したパウチ容器において、
胴部のサイドシール部はパウチ容器の左右の両側に形成され、
内容物を収容する前記空所に連通する液通路を有するノズル部の左右の両側若しくは片側のノズル部のサイドシール部の開封予定部分にノッチを形成し、
前記ノズル部のサイドシール部のうちの少なくとも前記ノッチの形成された部分を前記ノズル部のサイドシール部の内縁に沿った折れ目線で折り返してなり、
前記ノズル部の折り返された前記ノズル部のサイドシール部と前記左右の両側のうちの同じ側の前記胴部のサイドシール部も、該胴部のサイドシール部の内縁に沿った折れ目線で折り返されている
ことを特徴とするパウチ容器。
【請求項２】
前記折り返された前記ノズル部のサイドシール部の反対側の前記サイドシール部を、前記反対側のサイドシール部の内縁に沿った折れ目線で折り返すことを特徴とする請求項１記載のパウチ容器。
【請求項３】
前記折れ目線は前記サイドシール部上に形成されまたは前記サイドシール部の内縁の内側の未シールの前記空所にかかる部分に形成されることを特徴とする請求項１または２に記載のパウチ容器。
【請求項４】
前記ノッチは、折り返された際に下側の切り込み縁が前記ノズル部を横断する易開封線と重なるように形成されることを特徴とする請求項１〜３のいずれかに記載のパウチ容器。
【発明の詳細な説明】
【技術分野】
【０００１】
この発明は開封を容易にするためのノッチを持つパウチ容器に関するものである。
【背景技術】
【０００２】
パウチ容器は変形可能な袋状の軟質容器であって、液体内容物を収容する容器として、ボトルなどの硬質容器とともに多く、生産され、使用されている。
パウチ容器は可撓性のフィルム状材料からなるパウチ素材片である正面片と背面片を縁部でサイドシールして内容物充填用の空所を持つ胴部やそれに連通する注出用のノズル部を構成し、さらにパウチ容器の他の種類においては、底部も底面片を二つ折にして、正面片と背面片の間に挟み込んで縁部でヒートシールして展開可能な底部を構成した自立性のあるスタンディングパウチを構成する。
こうして構成されるパウチ容器は一般には液体などの内容物、例えば洗剤、漂白剤、柔軟剤、洗濯糊、シャンプー、リンス、あるいは食用油、醤油、ソース、ドレッシング、飲料水など、を充填する。
【０００３】
パウチ容器をスタンディングパウチとして構成した場合、スタンディングパウチは、液体などの内容物などを充填した状態で、底部を下にして起立状態で店頭等に展示される場合があるが、構成する正面片や背面片自体はフィルム状の可撓性の高い素材で構成されているので、パウチ容器自体の剛性が低く、起立した状態で姿勢が保ちにくいのであるが、パウチ容器の縁部のサイドシール部はシールの際に加熱されているので、冷却固化した状態では硬度がきわめて高く、パウチ容器に剛性を持たせることができて、パウチ容器に起立した姿勢を持たせることができ、展示状態において立ち姿を保たせることができる。
一方、図１１に示すように、パウチ容器の胴部やノズル部に易開封用のノッチ１２２、１２７をシール部に設けることがあるが、このようなノッチはパウチ容器の外周に位置するために、パウチ容器内に内容液を充填した後の輸送や流通の過程で加わる外力によりノッチが裂けてイレギュラーに開封してしまうことがある。
【０００４】
また、このノッチを使用して開封する場合に、ノッチに連続するシール部やノッチに連続して設けたタブに引っ掛かりがないので、指が滑り易く、開封に必要な力がタブやノッチに加わらず、使用者に大きな開封力が必要であると感じさせたり、少しでもタブや指が濡れていると指が滑って開封ができないことがある。
【０００５】
【特許文献１】特開２０００−１４２７２０号公報
【発明の開示】
【発明が解決しようとする課題】
【０００６】
このようなことから、パウチ容器にノッチを設けた場合に、そのノッチがパウチ容器の外周に位置することがなく、したがって、パウチ容器の輸送や流通の過程で他の外物との不時の接触などで外力が加わる事故を避けることができ、また、開封操作時にはタブやノッチに隣接するシール部が掴み易く容易に開封操作をすることができるパウチ容器の開発が望まれている。
【課題を解決するための手段】
【０００７】
この目的に対応して、この発明のパウチ容器はフィルム状のパウチ片の対向する縁部をシールして形成したサイドシール部を有してパウチ片の間に空所を形成したパウチ容器において、
胴部のサイドシール部はパウチ容器の左右の両側に形成され、
内容物を収容する前記空所に連通する液通路を有するノズル部の左右の両側若しくは片側のノズル部のサイドシール部の開封予定部分にノッチを形成し、
前記ノズル部のサイドシール部のうちの少なくとも前記ノッチの形成された部分を前記ノズル部のサイドシール部の内縁に沿った折れ目線で折り返してなり、
前記ノズル部の折り返された前記ノズル部のサイドシール部と前記左右の両側のうちの同じ側の前記胴部のサイドシール部も、該胴部のサイドシール部の内縁に沿った折れ目線で折り返されていることを特徴としている。
【発明の効果】
【０００８】
請求項１に記載の発明によれば、パウチ容器のノズル部のサイドシール部の開封予定部分にノッチを形成した場合に、そのノッチを形成した部分のノズル部のサイドシール部はノズル部のサイドシール部の内縁に沿った折れ目線で内側に折り返されるので、ノッチの位置がパウチ容器の外縁部からノズル部のサイドシール部が内側の位置に移動することとなる。その結果、パウチ容器は輸送や流通の過程で他の外物と接触したり、衝突したりする場合でも、その部位は主としてパウチ容器の外縁部に位置することとなった折れ目線の部分であって、それよりも内側にあるノッチの部分に外物が接触したり衝突したりする機会は少なくなり、ノッチがイレギュラーに開封することがないパウチ容器を得ることができる。
【０００９】
またこの発明によれば、パウチ容器が２枚の重なったパウチ片で構成されていて、サイドシール部が左右の両側の外縁部に設けられている場合に、この発明を適用することができる。
【００１０】
またこの発明によれば、ノッチがノズル部の左右の両側の外縁部のどちらかの側の外縁部若しくは両側の外縁部に形成される場合でも、この発明を適用することができるので、パウチ容器の形成を選択する場合の自由度が大きくなる。
【００１１】
またこの発明によれば、ノズル部の折り返されたノズル部のサイドシール部と同じ側の胴部のサイドシール部も胴部のサイドシール部の内縁に沿った折れ目線で折り返されるので、操作者の手にサイドシール部の鋭い硬質の外縁が触れることがないので、操作の快適性が向上する。その上、ノズル部の折り返し部と胴部の折り返し部とが左右の同じ側にあるので、一度の加工で同時に形成することができる。
【００１２】
請求項２に記載の発明によれば、パウチ容器の両側のサイドシール部が折り返されるので容器の操作が一層快適になる。
【００１３】
請求項３に記載の発明によれば、折れ目線はサイドシール部上またはその内側の未シールの前記空所にかかる部分に形成されるので、パウチ容器の形式やパウチの自立強度を選択する場合の自由度が大きくなる。
【００１４】
請求項４に記載の発明によればノッチは、折り返された際に下側の切り込み縁が易開封線と重なるようにすると、開封時の案内となって開封しやすくできる。
【発明を実施するための最良の形態】
【００１５】
以下、この発明の詳細を最良の実施形態について図面を参照しながら説明する。
【００１６】
参考図である図１から図４において本発明の参考例としてパウチ容器の胴部にだけ折り返し部を形成した参考例を示し、１はパウチ容器である。パウチ容器１は、３片のパウチ素材片すなわち正面片２、背面片３及び底面片４の３片からなる。それぞれの面片は可撓性のフィルム材からなり、正面片２と背面片３とは対向して位置し、左右の縁部でヒートシールして胴部のサイドシール部５、６を構成して、パウチの胴部７を構成し、また胴部７の下端のパウチ容器の底部に相当する部分では正面片２と背面片３の間に２つ折りにした底面片４が挟み込まれ、底面片４の周縁部が正面片２、背面片３とヒートシールしてボトムシール８を構成してパウチ容器の底部１１を構成する。胴部７は正・背両面片２、３と底面片４で囲まれた空所１０を構成し、この空所１０には後に内容物を充填するが、内容物は空所１０の上端から充填されるのであり、したがって、内容物が未充填のときは正面片２と背面片３の上辺縁１２はシールされていない未シール部分となっており、この部分は充填後シール予定部３５である。胴部７にかかる開封予定部分２０には易開封線２１が胴部７を横断して設けられている。一方胴部のサイドシール部５、６にかかる開封予定部分２０にはノッチ２２が形成されている。ノッチ２２は易開封線２１に対応する位置に形成される。ノッチ２２を形成する胴部のサイドシール部は左サイドシール部５若しくは右サイドシール部６または左右両方の胴部のサイドシール部、５、６のいずれであってもよい。形成されるノッチ２２は胴部のサイドシール部５、６の外縁から内側に向って形成された切り込みであるが、ノッチ２２の底部をなす内端３６は胴部のサイドシール部の内縁５３には達していない。
【００１７】
ノッチ２２の形状はＶ字状のほか、Ｕ字状や直線の切り込みなどでもよい。
ノッチ２２が形成された左胴部のサイドシール部５及び右胴部のサイドシール部６は、後述する折れ目線２８よりも中央寄りのシールされていない空所１０に対応する正面片２または背面片３に重なるように折り返されて折り返し部３３を形成している。折り返しの折れ目線２８は胴部のサイドシール部５、６の直近に胴部のサイドシール部５、６に沿って形成されている。折れ目線２８は少なくとも開封予定部分２０に形成され、胴部のサイドシール部５、６の全長、またはその一部分若しくは延長部分に沿って位置するが、空所１０と胴部のサイドシール部５、６の内縁５３よりもわずかに空所１０側に入ったところに位置する。したがって折り返される折り返し部３３は折れ目線２８より外側の胴部のサイドシール部に隣接しているシールされていない空所の部分と胴部のサイドシール部とで構成されていることになる。折れ目線２８における胴部のサイドシール部５、６の折り返しの方向は同じ方向に、すなわち同じく正面片２または背面片３に重なる方向、または逆の方向、つまり正面片２及び背面片３が異なるパウチ片に重なる方向でもよい。
折り返しの成形方法は、パウチ容器の公知の製袋工程において、胴部のサイドシール部の形成の後に、切り離し工程でカッターによりパウチ容器毎に、切り離された後金型を使用して折り曲げる。
このように構成されたパウチ容器１の作用は次の通りである。
製袋工程で製造されたパウチ容器１に対して充填工場において、上辺縁１２の注入口をなすシール予定部３５から内容物が充填され、シール予定部３５がシールされて、パウチ容器詰が完成する。
パウチ容器詰を開封する場合は図４に示すように、ノッチ２２を境にして下隣りの胴部のサイドシール部分５ｂを裏の未シールの胴部ごと一方の手の指で掴んだ状態で他方の手の指を胴部７の表面を案内として滑らせて進めて行くと上隣りの胴部のサイドシール部分５ａの外縁に突き当たるので、上隣の胴部のサイドシール部分５ａをタブ３７として利用して他方の手の指で摘まんでノッチ２２の内端３６に向って引き起こす。この上隣りの胴部のサイドシール部分５ａはノッチ２２の存在によって下隣りの胴部のサイドシール部分５ｂから分離しているので、下隣りの胴部のサイドシール部分５ｂから拘束されずに自由に変形して引き起こされる。この引き起こしがノッチ２２の内端３６を越えると、ノッチの内端３６から易開封線２１に沿って引き裂き開口が開始し、最後に開封が完了する。ノッチ２２は折り返された際に下側の切り込み縁が易開封線２１と重なるようにすると、開封時の案内となって更に開封しやすくできる。
【００１８】
次にこの発明の実施態様を、参考図の図５から図７及びこの発明の実施態様を示す図８を参照して説明する。
この発明のパウチ容器においては、パウチ容器１の上端部の隅角部に注出ノズル１３を設け、この注出ノズル１３に開封予定部分４１を設ける。
【００１９】
本発明のパウチ容器の注出ノズルの折り返し部を説明するための参考図である図５に示すように、注出ノズル１３（ノズル部）は２枚のパウチ片すなわち正面片２と背面片３を利用して形成されている。また、正面片２、背面片３にはリブ２５が形成されている。注出ノズル１３は液通路１４を区画する筒部１５と、筒部１５の両側にあるヒートシールによって形成されたノズル部のサイドシール部１６、１７とからなっている。液通路１４の基端部は胴部７の空所１０に連通し、上端部の注出口１８はタブ２３で閉じられている。注出ノズル１３の開封予定部分４１には注出口１８となる易開封線２６が注出ノズル１３を横断して正面辺２と背面辺３に設けられている。一方、右ノズル部のサイドシール部１７の開封予定部分４１にはノッチ２７が形成されている。ノッチ２７は易開封線２６に対応する位置に形成されている。但し、ノッチ２７は左ノズル部のサイドシール部１６または左右両方のノズル部のサイドシール部１６、１７であってもよい。
【００２０】
ノッチ２７は形成するノズル部のサイドシール部の外縁から内側に向って形成された切り込みであるが、ノッチ２７の内端はヒートシール部の内縁には達していない。
ノッチ２７の形状はＶ字状のほか、Ｕ字状や直線の切り込みなどでもよい。注出ノズル１３においてもノッチ２７が形成された左右のノズル部のサイドシール部１６、１７が後述する折れ目線３１よりもノズル中央寄りのシールされていない液通路１４に対応する正面片２または背面片３に向って折り返されている。
【００２１】
注出ノズル１３に折り返し部３４を形成するのに際して折り返し部３４の折れ目線３１は少なくとも開封予定部分４１に形成され、ノズル部のサイドシール部１６、１７の直近に左右のノズル部のサイドシール部１６、１７の全長またはその一部分若しくは延長部分に沿って位置するが、注出ノズル１３の筒部１５側に入ったところに位置する。したがって折り返される折り返し部３４は折れ目線３１より外側のノズル部のサイドシール部１６、１７に隣接しているシールされていない筒部１５の部分とノズル部のサイドシール部１６、１７とで構成されていることになる。
折れ目線３１におけるノズル部のサイドシール部１６、１７の折り返しの方向は、前述の胴部のサイドシール部５、６の場合と同様に、同じ方向に、すなわち同じく正面片２または背面片３に重なる方向、または逆の方向、つまり正面片２及び背面片３が異なるパウチ片に重なる方向でもよい。折り返しの成形方法は、パウチ容器の公知の製袋工程において、ノズル部のサイドシール部の形成の後に、切り離し工程でカッターによりパウチ容器毎に、切り離された後金型を使用して折り曲げる。
【００２２】
このように構成された注出ノズル１３を開封する場合は、図５に示すように、ノッチ２７の上隣りのノズル部のサイドシール部１７ａをタブ２３として利用して摘んで易開封線２６に沿って引き裂き開口する。ノッチ２７は、折り返された際に下側の切り込み縁が易開封線２６と重なるようにすると、開封時の案内となって更に開封しやすくできる。
このパウチ容器１は注出ノズル１３を設けて、そこに開封予定部分４１を設け、ノズル部のサイドシール部１６、１７に易開封用のノッチ２７が形成されており、そのノッチ２７が形成されたノズル部のサイドシール部はノズル部のサイドシール部の内縁に沿った折れ目線で内側に折り返されるので、ノッチの位置がパウチ容器の外縁部からパウチ容器のノズル部のサイドシール部が内側の位置に移動することになる。その結果、パウチ容器は輸送や流通の過程で他の外物と接触したり、衝突したりする場合でもその部位は主としてパウチ容器の外縁部に位置することとなった折れ目線の部分であって、それよりも内側にあるノッチの部分に外物が接触したりする機会は少なくなり、ノッチがイレギュラーに開封することはない。
【００２３】
またこのノッチを使用して開封する場合に、ノズル部のサイドシール部のノッチの上隣りのノズル部のサイドシール部の部分をタブとして利用することができるが、このタブはパウチ容器の筒部の上に折り重なった状態であるので、筒部の表面からわずかに段差があることになり、筒部の表面を案内として手指がタブに引っかかり易く、タブを摘み易いので、開封に必要な力をノッチにかけ易く、パウチ容器の開封操作が容易になる。また、外縁部にノッチが形成される通常のパウチ容器では、ノッチの上隣りと下隣りのノズル部のサイドシール部の部分を摘んで引き裂く際の引き裂き角度が９０度程度となるのに対し、本発明では１８０度近くになるので、より大きな力を集中できる。
【００２４】
以上説明したパウチ容器では、サイドシール部の位置としてはサイドシール部はパウチ容器１の左右両側に形成され、ノッチの位置としては、パウチ容器の左右のサイドシール部のうちの一方のサイドシール部に形成し、折れ目線の位置としては、サイドシール部にかからないでサイドシール部の内縁からわずかに筒部にかかる部分に入った位置に形成された態様のパウチ容器であるが、ノッチの位置としてはノズル部の左右のノズル部のサイドシール部の一方若しくは両方に形成しても良い。さらに折れ目線の位置としては図６及び図７に示すようにサイドシール部のシール幅内に形成しても良い。
【００２５】
この場合に折れ目線２８がノッチ２２にかかるようにしてもよく（図６）、または折れ目線２８がノッチ２２にかからないように構成してもよい（図７）。さらにサイドシール部の内縁に一致させて折り返しても良い。
本発明の注出ノズルを形成したパウチ容器においてはさらに、ノッチを形成した注出ノズルのサイドシール部を折り返すとともに、ノッチのない胴部の同じ側のサイドシール部を折り返す。
図８に示す実施態様はパウチ容器１の上端部の隅角部に注出ノズル１３を設け、この注出ノズル１３に開封予定部分４１を設け、注出ノズル１３は、ノッチ２７のある片側だけが折れ目線３１で折り返されており、かつ同じ側の胴部７も折れ目線２８で折り返してある。
この態様では、ノズル部の折り返し部と胴部の折り返し部とが左右の同じ側にあるので、一度の加工で同時に形成することができる。
【図面の簡単な説明】
【００２６】
【図１】本発明の参考例であるパウチ容器の正面説明図
【図２】図１における易開封線２１に沿った断面説明図
【図３】図１における開封予定部分を示す拡大部分説明図
【図４】図１における開封操作時の開封予定部分を示す拡大部分説明図
【図５】本発明の参考例である注出ノズルを有するパウチ容器のノズル部の折り返し部を説明するための参考図
【図６】折り返し部の他の構成を示す本発明の参考例であるパウチ容器の拡大部分説明図
【図７】折り返し部の他の構成を示す本発明の参考例であるパウチ容器の拡大部分説明図
【図８】この発明の実施態様のパウチ容器の拡大部分説明図
【図９】従来のスタンディングパウチの正面説明図
【符号の説明】
【００２７】
１      パウチ容器
２      正面片
３      背面片
４      底面片
５      左胴部のサイドシール部
５ａ    上隣りの胴部のサイドシール部分
５ｂ    下隣りの胴部のサイドシール部分
６      右胴部のサイドシール部
７      胴部
８      ボトムシール
１０    空所
１１    底部
１２    上辺縁
１３    注出ノズル（ノズル部）
１４    液通路
１５    筒部
１６    左ノズル部のサイドシール部
１７    右ノズル部のサイドシール部
１８    注出口
２０    開封予定部分
２１    易開封線
２２    ノッチ
２３    タブ
２５    リブ
２６    易開封線
２７    ノッチ
２８    折れ目線
３１    折れ目線
３３    折り返し部
３５    シール予定部
３６    内端
３７    タブ
４１    開封予定部分
５３    内縁（サイドシール部）
１２２  ノッチ
１２７  ノッチ
【図１】
0005448235.tif 000002
【図２】
0005448235.tif 000003
【図３】
0005448235.tif 000004
【図４】
0005448235.tif 000005
【図５】
0005448235.tif 000006
【図６】
0005448235.tif 000007
【図７】
0005448235.tif 000008
【図８】
0005448235.tif 000009
【図９】
0005448235.tif 000010